(57)【要約】【課題】取り扱いが煩雑で、ノイズが乗りやすいケーブルの利用を省略することが無線ＬＡＮ内蔵型騒音計を提供する。【解決手段】本発明の無線ＬＡＮ内蔵型騒音計１は、主として筐体部２及びマイクロフォン３とからなり、筐体部２内にはマイクロフォン３により取得された信号をＡ／Ｄ変換するＡ／Ｄ変換部が設けられている。Ａ／Ｄ変換部からの出力データは、無線ＬＡＮ内蔵型騒音計１に着脱可能な無線ＬＡＮカード６から所定の規格の無線ＬＡＮ信号によって測定基地に伝送することができるように構成される。【選択図】      図１
2007232561.tif 000002
【特許請求の範囲】
【請求項１】
筺体本体と該筺体本体に付属するマイクロフォンとからなる無線ＬＡＮ内蔵型騒音計において、
該筺体本体内には該マイクロフォンにより取得された信号をＡ／Ｄ変換するＡ／Ｄ変換部と、
該Ａ／Ｄ変換部から出力されるデータを無線ＬＡＮによって送信する無線ＬＡＮ送信部とを有することを特徴とする無線ＬＡＮ内蔵型騒音計。
【請求項２】
該無線ＬＡＮ送信部は該筺体本体から着脱可能なカードで構成されていることを特徴とする請求項１に記載の無線ＬＡＮ内蔵型騒音計。
【発明の詳細な説明】
【技術分野】
【０００１】
本発明は、特定の場所における残響時間等に代表される室内音響測定や屋内外での騒音測定を行うための無線ＬＡＮ内蔵型騒音計に関する。
【背景技術】
【０００２】
特定の場所における残響時間等に代表される室内音響測定や屋内外での騒音測定を行うためのシステムが種々提案されている。
【０００３】
そのようなシステムの一つして、特許文献１（特開２０００−９５２７号公報）には、設置場所でとらえた音を電気信号に変換し、音声信号として出力するマイクロフォンと、このマイクロフォンが出力した音声信号を増幅して、低インピーダンスの信号を伝送信号として出力するパワーアンプ、このパワーアンプの出力（伝送信号）を電話回線に接続するための、接続機器である電話線ターミナルと、電話回線で伝送信号に乗った高周波ノイズを遮断するローパスフィルターであるフィルターアンプと、フィルターアンプの出力した伝送信号から、電話回線で乗った低周波ノイズをキャンセルする差動アンプと、差動アンプの出力が入力される騒音計とからなる騒音監視システムが開示されている。
【特許文献１】特開２０００−９５２７号公報
【発明の開示】
【発明が解決しようとする課題】
【０００４】
特許文献１に記載の騒音監視システムは、電話回線を用いるものであるが、従来の残響時間に代表される室内音響測定や屋内外での騒音測定を行うシステムの場合には、一般的には、図３      に示すような測定機器系統が必要となる。図３は、従来の音響測定方法に係る測定機器構成概略を示す図である。
【０００５】
図３において、５０はマイクロフォンであり、５１はマイクアンプ（騒音計本体）である。これらマイクロフォン５０及びマイクアンプ（騒音計本体）５１が測定点において、音響測定を担う計測機器である。マイクアンプ（騒音計本体）５１からの出力は、測定基地Ｚに至るまでの区間Ｙに配設されているケーブル５２によって、測定基地Ｚに設けられているデータレコーダ５３及びコンピュータ５４に入力される。
【０００６】
ここで、このような測定機器構成を用いて音響測定を実施する際に問題となるのは、マイクアンプ（騒音計本体）５１と測定基地に設置したデータレコーダ５２を連結するケーブル５２の取り扱いである。
【０００７】
室内音響測定では、頻繁にマイクロフォン５０を移動させるために、その都度煩雑なケーブル５２の引き回しを行う必要があり、測定時間の長時間化の一つの要因となる。また、複数のマイクロフォン５０を使って多点同時測定を行うような場合には、ケーブル５２同士の交錯などの問題が発生する。さらにケーブル５２の長さに制限されてしまい、希望する測定位置にマイクロフォン５０を設置できない、という問題もある。
【０００８】
また、屋外での騒音測定などではケーブル５２が長距離化することにより信号の劣化が起こったり、ケーブル５２にラジオ放送の電波が混入したり、また第三者の不注意によるケーブル５２が切断されたり、といった種々の問題がある。
【課題を解決するための手段】
【０００９】
この発明は、上記のような種々の課題を解決するものであって、請求項１に係る発明は、筺体本体と該筺体本体に付属するマイクロフォンとからなる無線ＬＡＮ内蔵型騒音計において、該筺体本体内には該マイクロフォンにより取得された信号をＡ／Ｄ変換するＡ／Ｄ変換部と、該Ａ／Ｄ変換部から出力されるデータを無線ＬＡＮによって送信する無線ＬＡＮ送信部とを有することを特徴とする。
【００１０】
また、請求項２に係る発明は、請求項１に記載の無線ＬＡＮ内蔵型騒音計において、該無線ＬＡＮ送信部は該筺体本体から着脱可能なカードで構成されていることを特徴とする。
【発明の効果】
【００１１】
本発明によれば、音響・騒音測定において、煩雑なケーブルの取扱を要することなく、また、ケーブルの長距離化による信号劣化やケーブルからの電波混入、或いはケーブルの切断事故、といったケーブル使用に伴うディメリットを克服することができる。
【発明を実施するための最良の形態】
【００１２】
以下、本発明の実施の形態を図面を参照しつつ説明する。図1は、本発明の実施の形態に係る無線ＬＡＮ内蔵型騒音計１の外観図である。無線ＬＡＮ内蔵型騒音計１は主として、本体の筐体部１とマイクロフォン３とからなり、筐体部１には、測定結果を示す表示パネル４、無線ＬＡＮ内蔵型騒音計１の各種設定を行うための操作スイッチ５、無線ＬＡＮカード６が設けられている。この無線ＬＡＮカード６は筐体部１のスロットから着脱可能なカード状のもので構成されており、無線ＬＡＮカード６が不要な場合には、無線ＬＡＮカード６を外しておいても無線ＬＡＮ内蔵型騒音計１は単体として騒音計として機能するようになっている。
【００１３】
測定時には、無線ＬＡＮ内蔵型騒音計１のマイクロフォン３によって測定音が電気信号に変換され、この電気信号は筐体部１に内蔵される音圧信号処理回路等からなる電気回路によって処理される。また、この電気回路によって表示パネル４に音圧が表示されたり、無線ＬＡＮカード６によって無線でデータ伝送ができたり、というように構成される。
【００１４】
次に、無線ＬＡＮ内蔵型騒音計１に内蔵される電気回路の構成の概略について図2のブロック図を参照しつつ説明する。図2は、本発明の実施の形態に係る無線ＬＡＮ内蔵型騒音計１のブロック図である。図2において、１１はマイクロフォン部、１２はアンプ部、１３はＡ／Ｄ変換部、１４は信号処理部、１５は表示部、１６は無線ＬＡＮ部である。マイクロフォン部１１から得られる電気信号は極めて微弱なレベルの電気信号であるので、この電気信号をあるレベルまでに増幅するのがアンプ部１２である。Ａ／Ｄ変換部１３は、アンプ部１２の出力信号をデジタル信号に変換する回路である。信号処理部１４ではデジタル化された信号に対して、周波数重み付け、実効値検波、対数圧縮などのデジタル信号処理を行い、その結果を表示部１５へ送り、表示部１５の表示パネル４に表示する。無線ＬＡＮ部１６はＡ／Ｄ変換部１３から出力されたデジタルデータを所定のプロトコルで無線送信する回路である。
【００１５】
本発明は、マイクロフォン部１１から得られる電気信号をアンプ部１２で増幅し、アンプ部１２の出力信号をＡ／Ｄ変換部１３に入力してデジタル化し、そのデジタルデータを、無線ＬＡＮ部１６から無線ＬＡＮ方式によって測定基地に設置したコンピュータに伝送することにより、「発明が解決しようとする課題」の項で記した、音響・騒音測定におけるケーブルに関連する全ての問題を解消し得るものである。本発明では、ケーブルを不要にしたことによる利点に加えて、測定と同時に測定基地に設置したコンピュータに測定されたデジタルデータが事実上時間同期した形で集中的に集積できるため、後の分析作業を合理化できる利点もある。
【００１６】
仮にＡ／Ｄ変換部１３のサンプリング周波数を４８ｋＨｚとし量子化ビット数を１６ｂｉｔとすると、本発明の無線ＬＡＮ内蔵型騒音計１においては、１秒間のデータ量は、９６ｋｂｙｔｅとなる。これをスループットで表現すると７６８ｋｂｐｓとなる。現在、無線ＬＡＮの規格はＩＥＥＥ８０２．１１ａ、ＩＥＥＥ８０２．ｂ、ＩＥＥＥ８０２．ｇの３つがあるが、最も伝送速度の遅いＩＥＥＥ８０２．１１ｂでも規格上の伝送速度は１１Ｍｂｐｓ（実効的には４〜５Ｍｂｐｓ）であり、本発明の無線ＬＡＮ内蔵型騒音計１が扱う７６８ｋｂｐｓ程度のデータは十分余裕をもって伝送することが可能である。
【００１７】
また、本発明の無線ＬＡＮ内蔵型騒音計１を複数用いることによって、複数の測定ポイントを同時に測定し、それぞれの無線ＬＡＮ内蔵型騒音計１の測定データを、測定基地に設置したコンピュータに伝送するというような利用方法も可能となる。このような利用方法をとる場合、例えば、無線ＬＡＮ内蔵型騒音計１の無線ＬＡＮ部１７において、ＩＥＥＥ８０２．１１ｂ規格を採用すれば最大４つの無線ＬＡＮ内蔵型騒音計１のデータを同時に測定することができるし、また、無線ＬＡＮ内蔵型騒音計１の無線ＬＡＮ部１７において、ＩＥＥＥ８０２．１１ａ規格を採用すれば最大８つの無線ＬＡＮ内蔵型騒音計１のデータを同時に測定することができる。
【００１８】
以上のとおり、本発明は騒音計の測定データを、無線ＬＡＮを用いて測定基地に伝送する無線ＬＡＮ内蔵型騒音計であり、音響・騒音測定において、煩雑なケーブルの取扱を要することなく、また、ケーブルの長距離化による信号劣化やケーブルからの電波混入、或いはケーブルの切断事故、といったケーブル使用に伴うディメリットを克服することができる。
【図面の簡単な説明】
【００１９】
【図１】本発明の実施の形態に係る無線ＬＡＮ内蔵型騒音計の外観を示す図である。
【図２】本発明の実施の形態に係る無線ＬＡＮ内蔵型騒音計１のブロック図である。
【図３】従来の音響測定方法に係る測定機器構成概略を示す図である。
【符号の説明】
【００２０】
１・・・無線ＬＡＮ内蔵型騒音計、２・・・筐体部、３・・・マイクロフォン、４・・・表示パネル、５・・・操作スイッチ、６・・・無線ＬＡＮカード、１１・・・マイクロフォン部、１２・・・アンプ部、１３・・・Ａ／Ｄ変換部、１４・・・信号処理部、１５・・・表示部、１６・・・無線ＬＡＮ部、５０・・・マイクロフォン、５１・・・マイクアンプ（騒音計本体）、５２・・・ケーブル、５３・・・データレコーダ、５４・・・コンピュータ
【図１】
2007232561.tif 000003
【図２】
2007232561.tif 000004
【図３】
2007232561.tif 000005